【手続補正書】
【提出日】平成30年9月27日(2018.9.27)
【手続補正１】
【補正対象書類名】特許請求の範囲
【補正対象項目名】全文
【補正方法】変更
【補正の内容】
【特許請求の範囲】
【請求項１】
第１の板ガラス材料のシートと、第２の板ガラス材料のシートとを備える、複層ガラスユニットであって、前記第１の板ガラス材料のシートと前記第２の板ガラス材料のシートとの間に第１の空間があり、前記第１の板ガラス材料のシートは、第１の主面と、対向する第２の主面とを有し、前記第２の板ガラス材料のシートは、第１の主面と、対向する第２の主面とを有し、前記第１の板ガラス材料のシートの前記第２の主面と、前記第２の板ガラス材料のシートの前記第１の主面とは、前記第１の空間に面し、前記第１の空間は、気圧未満の圧力を有する低圧空間であり、前記第１の空間に配置された複数のスペーサがあり、前記第２の板ガラス材料のシートの前記第２の主面が、低放射率被覆をその上に有することを特徴とし、前記低放射率被覆は少なくとも１つのフッ素ドープ酸化錫の層を備え、前記低放射率被覆と前記第２の板ガラス材料のシートとの間に第１の虹色抑制被覆がある、複層ガラスユニット。
【請求項２】
フッ素ドープ酸化錫の前記少なくとも１つの層の幾何学的厚さが、１００ｎｍ〜６００ｎｍである、請求項１に記載の複層ガラスユニット。
【請求項３】
フッ素ドープ酸化錫の前記少なくとも１つの層の幾何学的厚さが、１００ｎｍ〜３００ｎｍであるか、または、フッ素ドープ酸化錫の前記少なくとも１つの層の幾何学的厚さが、２５０ｎｍ〜３５０ｎｍであるか、または、フッ素ドープ酸化錫の前記少なくとも１つの層の幾何学的厚さが、３００ｎｍ〜４００ｎｍであるか、または、フッ素ドープ酸化錫の前記少なくとも１つの層の幾何学的厚さが、４００ｎｍ〜６００ｎｍである、請求項１または請求項２に記載の複層ガラス。
【請求項４】
前記第１の虹色抑制被覆が第１の層と第２の層とを備え、前記第１の虹色抑制被覆の前記第１の層が、前記第１の虹色抑制被覆の前記第２の層よりも高い屈折率を有し、前記第１の虹色抑制被覆の前記第２の層が、前記第１の虹色抑制被覆の前記第１の層と前記低放射率被覆との間にある、請求項１〜３のいずれかに記載の複層ガラスユニット。
【請求項５】
前記第１の虹色抑制被覆の前記第１の層が酸化錫を含む、請求項４に記載の複層ガラスユニット。
【請求項６】
前記第１の虹色抑制被覆の前記第２の層がシリカを含む、請求項４または請求項５に記載の複層ガラスユニット。
【請求項７】
前記第１の虹色抑制被覆の前記第１の層が、１０ｎｍ〜５０ｎｍの幾何学的厚さを有し、及び／または、前記第１の虹色抑制被覆の前記第２の層が、１０ｎｍ〜５０ｎｍの幾何学的厚さを有する、請求項４〜６のいずれかに記載の複層ガラスユニット。
【請求項８】
前記第２の板ガラス材料のシートと前記第１の虹色抑制被覆との間に第１のヘイズ低減層をさらに備える、請求項１〜７のいずれかに記載の複層ガラスユニット。
【請求項９】
前記第１のヘイズ低減層がシリカを含む、請求項８に記載の複層ガラスユニット。
【請求項１０】
前記第１のヘイズ低減層の幾何学的厚さが、５ｎｍ〜５０ｎｍである、請求項８または請求項９に記載の複層ガラスユニット。
【請求項１１】
前記第１の板ガラス材料のシートの前記第２の主面上に低放射率被覆があり、かつ／または前記第２の板ガラス材料のシートの前記第１の主面上に低放射率被覆がある、請求項１〜１０のいずれかに記載の複層ガラスユニット。
【請求項１２】
前記第１の板ガラス材料のシートの前記第２の主面上の前記低放射率被覆、及び／または前記第２の板ガラス材料のシートの前記第１の主面上の低放射率被覆が、少なくとも１つの銀層、及び／または少なくとも１つのフッ素ドープ酸化錫層を備える、請求項１１に記載の複層ガラスユニット。
【請求項１３】
前記第１の板ガラス材料のシートの前記第２の主面上の前記低放射率被覆、及び／または前記第２の板ガラス材料のシートの前記第１の主面上の前記低放射率被覆が、５ｎｍ〜２０ｎｍの幾何学的厚さを有する少なくとも１つの銀層を備える、請求項１２に記載の複層ガラスユニット。
【請求項１４】
前記第１の板ガラス材料のシートの前記第２の主面上の前記低放射率被覆、及び／または前記第２の板ガラス材料のシートの前記第１の主面上の前記低放射率被覆が、１００ｎｍ〜６００ｎｍの幾何学的厚さを有する少なくとも１つのフッ素ドープ酸化錫層を備える、請求項１２または請求項１３に記載の複層ガラスユニット。
【請求項１５】
前記第１の板ガラス材料のシートの前記第１の主面上に低放射率被覆を備える、請求項１〜１４のいずれかに記載の複層ガラスユニット。
【請求項１６】
前記第１の板ガラス材料のシートの前記第１の主面上の前記低放射率被覆上に、シリカの層またはチタニアの層があり、及び／または、前記第１の板ガラス材料のシートの前記第１の主面上の前記低放射率被覆上に、反射防止被覆がある、請求項１５記載の複層ガラスユニット。
【請求項１７】
前記第１の板ガラス材料のシートの前記第１の主面上の前記低放射率被覆上に他の層がない、請求項１５に記載の複層ガラスユニット。
【請求項１８】
前記第１の板ガラス材料のシートの前記第１の主面上の前記低放射率被覆が、２０ｎｍ未満の粗さを有する、請求項１５〜１７のいずれかに記載の複層ガラスユニット。
【請求項１９】
前記第２の板ガラス材料のシートの前記第２の主面上の前記低放射率被覆上に、シリカの層またはチタニアの層がある、請求項１〜１８のいずれかに記載の複層ガラスユニット。
【請求項２０】
前記第２の板ガラス材料のシートの前記第２の主面上の前記低放射率被覆上に、反射防止被覆がある、請求項１〜１９のいずれかに記載の複層ガラスユニット。
【請求項２１】
前記第２の板ガラス材料のシートの前記第２の主面上の前記低放射率被覆上に、他の層がない、請求項１〜１８のいずれかに記載の複層ガラスユニット。
【請求項２２】
前記第２の板ガラス材料のシートの前記第２の主面上の前記低放射率被覆が、２０ｎｍ未満の粗さを有する、請求項１〜２１のいずれかに記載の複層ガラス。
【請求項２３】
前記第１の板ガラス材料のシートに面し、第２の空間によって前記第１の板ガラス材料のシートから離される、第３の板ガラス材料のシートを備え、前記第３の板ガラス材料のシートが、第１の主面と第２の主面とを有し、前記複層ガラスユニットは、前記第３の板ガラス材料のシートの前記第２の主面と前記第１の板ガラス材料のシートの前記第１の主面とが、前記第２の空間に面するように構成される、請求項１〜２２のいずれかに記載の複層ガラス。
【請求項２４】
前記第２の板ガラス材料のシートの前記第２の主面上の前記低放射率被覆が、前記複層ガラスユニットの面４上にある、請求項１〜２２のいずれかに記載の複層ガラスユニット。
【請求項２５】
第１の板ガラス材料のシートと、第２の板ガラス材料のシートとを備える、複層ガラスユニットであって、前記第１の板ガラス材料のシートと前記第２の板ガラス材料のシートとの間に第１の空間があり、前記第１の板ガラス材料のシートは、第１の主面と、対向する第２の主面とを有し、前記第２の板ガラス材料のシートは、第１の主面と、対向する第２の主面とを有し、前記第１の板ガラス材料のシートの前記第２の主面と、前記第２の板ガラス材料のシートの前記第１の主面とは、前記第１の空間に面し、前記第１の空間は、気圧未満の圧力を有する低圧空間であり、前記第１の空間に配置された複数のスペーサがあり、前記第２の板ガラス材料のシートの前記第１の主面、及び／または前記第１の板ガラス材料のシートの前記第２の主面が、その上に低放射率被覆を有し、前記複層ガラスユニットが、前記第１の板ガラス材料のシートに面し、第２の空間によって前記第１の板ガラス材料のシートから離される、第３の板ガラス材料のシートをさらに備え、前記第３の板ガラス材料のシートが、第１の主面と第２の主面とを有し、前記第３の板ガラス材料のシートの前記第２の主面と、前記第１の板ガラス材料のシートの前記第１の主面とが、前記第２の空間に面し、前記第３の板ガラス材料のシートの前記第２の主面がその上に低放射率被覆を有し、前記第３の板ガラス材料のシートの前記第１の主面がその上に低放射率被覆を有することを特徴とする、複層ガラスユニット。
【請求項２６】
前記第３の板ガラス材料のシートの前記第１の主面上の前記低放射率被覆が、少なくとも１つのフッ素ドープ酸化錫の層を備える、請求項２５に記載の複層ガラスユニット。
【請求項２７】
前記第３の板ガラス材料のシートの前記第１の主面上の前記低放射率被覆のフッ素ドープ酸化錫の前記少なくとも１つの層の幾何学的厚さが、１００ｎｍ〜６００ｎｍであるか、または、前記第３の板ガラス材料のシートの前記第１の主面上の前記低放射率被覆のフッ素ドープ酸化錫の前記少なくとも１つの層の幾何学的厚さが、１００ｎｍ〜３００ｎｍであるか、または、前記第３の板ガラス材料のシートの前記第１の主面上の前記低放射率被覆のフッ素ドープ酸化錫の前記少なくとも１つの層の幾何学的厚さが、３００ｎｍ〜４００ｎｍであるか、または、前記第３の板ガラス材料のシートの前記第１の主面上の前記低放射率被覆のフッ素ドープ酸化錫の前記少なくとも１つの層の幾何学的厚さが、４００ｎｍ〜６００ｎｍであるか、または、前記第３の板ガラス材料のシートの前記第１の主面上の前記低放射率被覆のフッ素ドープ酸化錫の前記少なくとも１つの層の幾何学的厚さが、２５０ｎｍ〜３５０ｎｍである、請求項２６に記載の複層ガラスユニット。